(57)【要約】【課題】短時間で簡単に脱着できて、再装着が可能であり、しかも華美で高級感を有し、高い装飾性を備えた主として金属製の付け爪、付け爪の調整、装着方法を提供する。【解決手段】複数サイズの金属製の付け爪１を装着者に合わせて、簡単な工具を用いて調整して装着する、言わばセミオーダーによる付け爪の調整、装着方法であるため、各工程を経て付け爪１を爪Ｎに装着するのに必要な時間は熟練者で１５分程度であり、初心者でも３０分程度である。また、両面粘着テープ７を剥がすだけで付け爪１を爪Ｎから外すことができるので、付け爪１の脱着を短時間で簡単に行うことが可能である。【選択図】        図１
2011250911.tif 000002
【特許請求の範囲】
【請求項１】
複数の異なるサイズの金属製の付け爪から装着しようとする爪のサイズに最も近いサイズのものを選択する選択工程と、前記選択工程後に選択した付け爪を装着しようとする爪のサイズ、形状に合わせるため一部分を切断する切断工程と、前記切断工程後に付け爪の端面を研磨する研磨工程と、前記研磨工程後に装着しようとする爪の形状に合わせるため付け爪を曲げて塑性変形させる曲げ工程と、前記曲げ工程後に両面粘着テープを爪と付け爪の裏面との間に介装して前記付け爪を爪に貼付する貼付工程から成ることを特徴とする付け爪の調整・装着方法。
【請求項２】
請求項１に記載した付け爪の調整・装着方法において、付け爪に所望のアクセサリーパーツを取り付けることを特徴とする付け爪の調整・装着方法。
【請求項３】
請求項３に記載した付け爪の調整・装着方法においてアクセサリーパーツは紫外線硬化性接着材によって接着することにより取り付けることを特徴とする付け爪の調整・装着方法。
【請求項４】
請求項１から３のいずれかに記載した付け爪の調整・装着方法に使用する付け爪において、表面のみならず内部も含めて同一の色を呈する金属によって構成されていることを特徴とする付け爪。
【発明の詳細な説明】
【技術分野】
【０００１】
本発明は高い装飾性を備えた主として金属製の付け爪、付け爪の調整、装着方法に関するものである。
【背景技術】
【０００２】
近年、装飾性の高い付け爪がかなり流行しており、ネイルサロンにおいて手の指の爪に付け爪を装着することが盛んに行われている。この付け爪は接着剤によって爪に固定するため、装着に要する時間が長く、また簡単に脱着することができず、基本的には一度外したものは再装着できない。そこで、短時間で、しかも容易に脱着できて、再装着が可能な付け爪として、特許文献１に記載されたものがある。
【先行技術文献】
【特許文献】
【０００３】
【特許文献１】特開２０１０−１２０７１
【発明の概要】
【発明が解決しようとする課題】
【０００４】
しかしながら、上記従来の付け爪は、指の爪の先端部にのみ装着するため、装飾性が低く、爪全体を覆う状態に装着するタイプの付け爪ほど華美な高い装飾性を発揮することはできない。
また、従来の付け爪は指先に挿し込まれるスリット等を形成する必要があり、複雑な形状にせざるを得ない。従って、付け爪をプラスチックによって構成することになり、例えば金属製のような独特の光沢を有する付け爪には高級感、装飾性において劣ることなる。
【０００５】
本発明は上記従来の問題点に着目して為されたものであり、短時間で簡単に脱着できて、再装着が可能であり、しかも華美で高級感を有し、高い装飾性を備えた主として金属製の付け爪、付け爪の調整、装着方法を提供することを、その目的とする。
【課題を解決するための手段】
【０００６】
本発明は上記課題を解決するためになされたものであり、請求項１の発明は、複数の異なるサイズの金属製の付け爪から装着しようとする爪のサイズに最も近いサイズのものを選択する選択工程と、前記選択工程後に選択した付け爪を装着しようとする爪のサイズ、形状に合わせるため一部分を切断する切断工程と、前記切断工程後に付け爪の端面を研磨する研磨工程と、前記研磨工程後に装着しようとする爪の形状に合わせるため付け爪を曲げて塑性変形させる曲げ工程と、前記曲げ工程後に両面粘着テープを爪と付け爪の裏面との間に介装して前記付け爪を爪に貼付する貼付工程から成ることを特徴とする付け爪の調整・装着方法である。
【０００７】
請求項２の発明は、請求項１に記載した付け爪の調整・装着方法において、付け爪に所望のアクセサリーパーツを取り付けることを特徴とする付け爪の調整・装着方法である。
【０００８】
請求項３の発明は、請求項３に記載した付け爪の調整・装着方法においてアクセサリーパーツは紫外線硬化性接着材によって接着することにより取り付けることを特徴とする付け爪の調整・装着方法である。
【０００９】
請求項４の発明は、請求項１から３のいずれかに記載した付け爪の調整・装着方法に使用する付け爪において、表面のみならず内部も含めて同一の色を呈する金属によって構成されていることを特徴とする付け爪である。
【発明の効果】
【００１０】
本発明の付け爪、付け爪の調整、装着方法によれば、短時間で容易に脱着できて、再装着が可能である。また、華美で高級感を有し、高い装飾性を発揮することができる。
【図面の簡単な説明】
【００１１】
【図１】本発明の実施の形態に係る付け爪の調整、装着方法の選択工程を説明するための斜視図である。
【図２】本発明の実施の形態に係る付け爪の調整、装着方法の切断工程を説明するための斜視図である。
【図３】本発明の実施の形態に係る付け爪の調整、装着方法の研磨工程を説明するための斜視図である。
【図４】本発明の実施の形態に係る付け爪の調整、装着方法の曲げ工程を説明するための斜視図である。
【図５】本発明の実施の形態に係る付け爪の調整、装着方法のアクセサリーパーツを取り付ける工程を説明するための斜視図である。
【図６】本発明の実施の形態に係る付け爪の調整、装着方法の貼付工程を説明するための斜視図である。
【図７】本発明の実施の形態に係る付け爪を爪に装着した状態を示す斜視図である。
【発明を実施するための形態】
【００１２】
本発明の実施の形態に係る付け爪１、この付け爪１の調整、装着方法を図面にしたがって説明する。
付け爪１については、図１に示すように複数の異なるサイズ、例えばＬ（大）、Ｍ（中）、Ｓ（小）の３サイズがあるが、実施の形態の説明において、付け爪１をこれらのサイズ別に区別して説明する場合は、符号１の後にＬ、Ｍ、Ｓを付けて示すこととし、サイズに関係なく付け爪を説明する場合は符号１のみを付すものとする。
【００１３】
付け爪１は銅を高温、高圧等の条件下で所定の処理を施したもので、表面のみならず内部も含めて金色を呈し、また高い防錆性を備え、しかも金属アレルギーの発生も防止できるようになっている。また、付け爪１の厚さ寸法は０．４ｍｍである。
図１に示す選択工程では、付け爪１を装着しようとする指Ｆの爪Ｎに基も近いサイズの付け爪１Ｍを選択する。選択方法としては目視、必要に応じて計測具を用いる。
【００１４】
選択工程後に図２に示す切断工程に移行する。この切断工程では、付け爪１Ｍを装着しようとする爪Ｎのサイズ、形状に合わせるため、付け爪１Ｍの一部分を切断する。この切断には金属加工用のハサミＳを用いる。前述のように付け爪１の厚さ寸法は０．４ｍｍに設定されているので、金属加工用のハサミＳで容易に切断することが可能である。
ハサミＳによって付け爪１Ｍを破線で示す部分で切断し、切断片１ａを除去する。上記のように付け爪１Ｍは表面のみならず内部も含めて金色を呈しているので、めっき等、表面にのみ処理を施した付け爪とは異なり、切断部の色が非切断部の色と異なる不都合が生じることはない。
【００１５】
切断工程後に図３に示す研磨工程に移行する。この研磨工程では付け爪１Ｍの端面を研磨する。この研磨にはグラインダーＷを用いる。グラインダーＷは回転軸の先端に研磨具Ｗａを取り付けて、これを付け爪１Ｍの端面に押し当てて研磨を行う。研磨具Ｗａは交換可能であり、目の粗い研磨具から目の細かい研磨具に順次交換して、研磨を行う。これにより付け爪１Ｍの端面が滑らかな面となるように仕上げる。また、この研磨工程では爪Ｎにピッタリ合うようにサイズ、形状の微調整を行う。
【００１６】
研磨工程後に図４に示す曲げ工程に移行する。この曲げ工程では装着しようとする爪Ｎの形状に合わせるため、付け爪１Ｍを曲げて塑性変形させる。この付け爪１Ｍを曲げるにはゲージ棒Ｇを用いる。ゲージ棒Ｇは基端部から先端部へいくに従って径寸法が徐々に小さくなっている。目測で爪Ｎとサイズが等しいと思われるゲージ棒Ｇの部位に付け爪１Ｍを宛がい、その状態のまま付け爪１Ｍを指で強く押えて、ゲージ棒Ｇに沿って曲げて塑性変形させる。一度で付け爪１Ｍが爪Ｎにピッタリ沿うように曲がらない場合には、爪Ｎにピッタリ沿うまで当該作業を繰り返す。付け爪１Ｍは銅製なので、曲げたり、曲げた部位を戻したりすることを容易に行うことが可能である。
【００１７】
曲げ工程後に図５に示すようにアクセサリーパーツ３を付け爪１Ｍの表面に取り付ける。このアクセサリーパーツ３は図示したバラを模した形状のほか、星形等、種々の形状のものがある。アクセサリーパーツ３の取り付けには紫外線硬化性の接着剤５を用いる。接着剤５を付け爪１Ｍに滴下し、アクセサリーパーツ３をピンセット等で掴み、接着剤５を滴下した部分に設置する。そして、接着剤５に紫外線を照射して接着剤５を硬化させ、アクセサリーパーツ３を付け爪１Ｍに取り付ける。
【００１８】
そして、図６に示す貼付工程に移行する。この貼付工程では両面粘着テープ７を爪Ｎと付け爪１Ｍの裏面との間に介装して、付け爪１Ｍを爪Ｎに押し付け、図７に示すように、付け爪１Ｍを爪Ｎに貼付して装着する。この両面粘着テープ７は、それ自体、強力な粘着性を有するプラスチックによって構成された薄いシート状の部材である。両面粘着テープ７は使用前においては表裏面が図示しない剥離紙によって覆われており、この剥離紙を両面粘着テープ７から剥がして使用する。
上記のように両面粘着テープ７は、それ自体、強力な粘着性を有するプラスチック製のシート状部材によって構成され、長時間にわたって強力な粘着力を発揮し高い耐久性を有している。しかも高い耐水性を有しているので、付け爪１Ｍを装着したまま入浴したり、泳いだりしても付け爪１Ｍが外れてしまうことはない。
【００１９】
上記のように、ある程度加工された複数サイズの付け爪１を装着者に合わせて、簡単な工具を用いて調整をしてから装着する、言わばセミオーダーによる付け爪の調整、装着方法であるため、装着者にピッタリ合った付け爪１を提供できるにもかかわらず、上記各工程を経て付け爪１を爪Ｎに装着するのに必要な時間は熟練者で１５分程度であり、初心者でも３０分程度である。
また、付け爪１は両面粘着テープ７を用いて、爪Ｎに装着しているので、両面粘着テープ７を爪Ｎから剥がせば、付け爪１を短時間で脱着することができる。更に、付け爪１からも両面粘着テープ７を剥がし、新しい両面粘着テープ７を用いて上記のようにして、付け爪１を爪Ｎに再装着することができる。
【００２０】
また、付け爪１は特殊な加工が施されており、美しい金色を呈しているので、華美で高級感を有し、高い装飾性を備えたものとなる。
なお、付け爪１の厚さ寸法は既述したように０．４ｍｍで鋭利なものではないので、その先端部が人の皮膚に当たってしまった場合でも皮膚が切れてしまうことはなく、付け爪１は高い安全性を有している。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、付け爪を銅に特殊処理を施したものによって構成したが、本発明はこれに限定されず他の金属ステンレス鋼やアルミニウム合金等によって構成してもよい。
【００２２】
また、アクセサリーパーツを装着しない構成とすることもでき、またアクセサリーパーツを付け爪に固定する手段は紫外線硬化性の接着剤以外の接着剤、例えば一定温度以上の加熱によって硬化する接着剤や、経時的に硬化する通常の接着剤等を用いることも可能である。
上記実施の形態では、付け爪１についての複数の異なるサイズとして、Ｌ（大）、Ｍ（中）、Ｓ（小）の３サイズを設けたが、本発明はこれに限定されず、２サイズまたは４サイズ以上を準備してもよいのは勿論である。
なお、本発明の付け爪、付け爪の調整、装着方法は、手の指の爪だけでなく足の指の爪に適用することもできる。
【産業上の利用可能性】
【００２３】
本発明の付け爪、付け爪の調整、装着方法は、ネイルサロン等の美容業において利用可能である。
【符号の説明】
【００２４】
１（１Ｌ、１Ｍ、１Ｓ）…付け爪      １ａ…付け爪の切断片
３…アクセサリーパーツ      ５…紫外線硬化性の接着剤
７…両面粘着テープ      Ｓ…金属加工用のハサミ
Ｆ…手の指      Ｎ…手の指の爪      Ｗ…グラインダー
Ｗａ…研磨具      Ｇ…ゲージ棒
【図１】
2011250911.tif 000003
【図２】
2011250911.tif 000004
【図３】
2011250911.tif 000005
【図４】
2011250911.tif 000006
【図５】
2011250911.tif 000007
【図６】
2011250911.tif 000008
【図７】
2011250911.tif 000009